(57)【要約】【課題】ランプから発生した熱が液晶パネルに伝達されることを抑制し、輝度を高めて輝線を除去できるハイブリッド拡散板、これを含むバックライトアセンブリー及びこれを含む液晶表示装置を提供する。【解決手段】互いに対向するように配置され、光を拡散する複数のサブ拡散板と、前記各サブ拡散板の間に介在し、前記サブ拡散板より低い熱伝導率を有する断熱層とを有することを特徴とし、これにより、ランプから発生した熱が液晶パネルに伝達されることを抑制し、輝度を高めて輝線を除去できる。【選択図】      図３
2008040461.tif 000002
【特許請求の範囲】
【請求項１】
互いに対向するように配置され、光を拡散する複数のサブ拡散板と、
前記各サブ拡散板の間に介在し、前記サブ拡散板より低い熱伝導率を有する断熱層とを有することを特徴とするハイブリッド拡散板。
【請求項２】
前記断熱層は、前記サブ拡散板より低い屈折率を有することを特徴とする請求項１に記載のハイブリッド拡散板。
【請求項３】
前記断熱層は空気層を含むことを特徴とする請求項２に記載のハイブリッド拡散板。
【請求項４】
前記各サブ拡散板の間にサブ拡散板の周縁に沿って介在して前記各サブ拡散板を合着するシーリング材をさらに有することを特徴とする請求項１に記載のハイブリッド拡散板。
【請求項５】
前記シーリング材は、両面テープ、粘着剤、又は接着剤より形成されることを特徴とする請求項４に記載のハイブリッド拡散板。
【請求項６】
前記シーリング材は、前記サブ拡散板と同一の物質からなり、前記各サブ拡散板は熱融着方式で溶けた前記シーリング材によって合着されることを特徴とする請求項４に記載のハイブリッド拡散板。
【請求項７】
前記サブ拡散層は、拡散剤が添加された光透過性樹脂層を含むことを特徴とする請求項１に記載のハイブリッド拡散板。
【請求項８】
前記断熱層に隣接した前記サブ拡散板の一面に拡散機能を強化する拡散パターンが形成されることを特徴とする請求項１に記載のハイブリッド拡散板。
【請求項９】
複数のランプと、
前記ランプ上部に配置されて前記ランプから発生した光を拡散するハイブリッド拡散板であって、互いに対向するように配置された複数のサブ拡散板と、該各サブ拡散板の間に介在し、前記サブ拡散板より低い熱伝導率を有する断熱層とを含むハイブリッド拡散板と、
前記ランプ及び前記ハイブリッド拡散板を収納する収納容器とを有することを特徴とするバックライトアセンブリ。
【請求項１０】
前記断熱層は、前記サブ拡散板より低い屈折率を有することを特徴とする請求項９に記載のバックライトアセンブリ。
【請求項１１】
前記断熱層は空気層を含むことを特徴とする請求項１０に記載のバックライトアセンブリ。
【請求項１２】
前記各サブ拡散板の間にサブ拡散板の周縁に沿って介在して前記各サブ拡散板を合着するシーリング材をさらに含むことを特徴とする請求項９に記載のバックライトアセンブリ。
【請求項１３】
前記シーリング材は両面テープ、粘着剤、又は接着剤より形成されることを特徴とする請求項１２に記載のバックライトアセンブリ。
【請求項１４】
前記シーリング材は、前記サブ拡散板と同一の物質からなり、前記各サブ拡散板は熱融着方式で溶けた前記シーリング材によって合着されることを特徴とする請求項１２に記載のバックライトアセンブリ。
【請求項１５】
前記サブ拡散層は、拡散剤が添加された光透過性樹脂層を含むことを特徴とする請求項９に記載のバックライトアセンブリ。
【請求項１６】
前記断熱層に隣接した前記サブ拡散板の一面に拡散機能を強化する拡散パターンが形成されることを特徴とする請求項９に記載のバックライトアセンブリ。
【請求項１７】
前記ランプを固定し、下部で前記ハイブリッド拡散板を支持するランプ固定ユニットをさらに有することを特徴とする請求項９に記載のバックライトアセンブリ。
【請求項１８】
画像情報を表示する液晶パネルと、
前記液晶パネルに光を提供する請求項９乃至請求項１７の何れか一つの項に記載の前記バックライトアセンブリとを有することを特徴とする液晶表示装置。
【発明の詳細な説明】
【技術分野】
【０００１】
本発明は、ハイブリッド拡散板、これを含むバックライトアセンブリ及びこれを含む液晶表示装置に関し、より詳しくは、複数のランプを光源として使用するときランプから発生した熱が液晶パネルに伝達されることを抑制できるハイブリッド拡散板、これを含むバックライトアセンブリ及びこれを含む液晶表示装置に関する。
【背景技術】
【０００２】
液晶表示装置は、現在一番広く使用されている平板表示装置のうちの一つであって、電極が形成されている二枚の基板とその間に挿入されている液晶層からなり、電極に電圧を印加して液晶層の液晶分子を再配列させることによって透過する光量を調節する表示装置である。
【０００３】
このような液晶表示装置は、液晶層が介在した一対の基板からなる液晶パネルと、液晶パネルを通過する光を提供するバックライトアセンブリを含む。ここで、バックライトアセンブリは複数のランプ、多様な光学シート、拡散板及びこれらを収納する収納容器を含む。
【０００４】
従来技術の液晶表示装置によれば、複数のランプ上部に拡散板が設けられ、拡散板上部に液晶パネルが配置される。この時、ランプから発生する熱が拡散板を通じて伝導され、この熱は再び液晶パネルに伝達される。液晶パネルに高いエネルギーの熱が伝達される場合、液晶パネルが誤動作を起こすようになって液晶表示装置の表示特性を低下させるようになるという問題がある。従って、液晶表示装置の表示特性を向上させるためにランプから発生する熱が液晶パネルに伝達されることを抑制する必要性が出てきている（例えば、特許文献１参照）。
【０００５】
【特許文献１】韓国特許出願公開第２００４−４６７９２号明細書
【発明の開示】
【発明が解決しようとする課題】
【０００６】
そこで、本発明は上記従来の液晶表示装置における問題点に鑑みてなされたものであって、本発明の目的は、ランプから発生した熱が液晶パネルに伝達されることを抑制し、輝度を高めて輝線を除去できるハイブリッド拡散板を提供することにある。
【０００７】
また、本発明の他の目的は、このようなハイブリッド拡散板を含むバックライトアセンブリを提供することにある。
【０００８】
また、本発明の他の目的は、このようなバックライトアセンブリを含む液晶表示装置を提供することにある。
【課題を解決するための手段】
【０００９】
上記目的を達成するためになされた本発明によるハイブリッド拡散板は、互いに対向するように配置され、光を拡散する複数のサブ拡散板と、前記各サブ拡散板の間に介在し、前記サブ拡散板より低い熱伝導率を有する断熱層とを有することを特徴とする。
【００１０】
上記目的を達成するためになされた本発明によるバックライトアセンブリは、複数のランプと、前記ランプ上部に配置されて前記ランプから発生した光を拡散するハイブリッド拡散板であって、互いに対向するように配置された複数のサブ拡散板と、該各サブ拡散板の間に介在し、前記サブ拡散板より低い熱伝導率を有する断熱層とを含むハイブリッド拡散板と、前記ランプ及び前記ハイブリッド拡散板を収納する収納容器とを有することを特徴とする。
【００１１】
上記目的を達成するためになされた本発明による液晶表示装置は、画像情報を表示する液晶パネルと、前記液晶パネルに光を提供する上述の前記バックライトアセンブリとを有することを特徴とする。
【発明の効果】
【００１２】
本発明に係るハイブリッド拡散板、これを含むバックライトアセンブリ及びこれを含む液晶表示装置によれば、ハイブリッド拡散板内に熱伝達率が低い断熱層を形成することによってランプから発生した熱が液晶パネルに伝達されることを効果的に減らすことができる。
【００１３】
また、ハイブリッド拡散板を構成する複数のサブハイブリッド拡散板の間にサブハイブリッド拡散板より屈折率が低い断熱層を介在することによってランプから発生した光がさらに拡散して輝線を除去できるという効果がある。
【発明を実施するための最良の形態】
【００１４】
次に、本発明に係るハイブリッド拡散板、これを含むバックライトアセンブリ及びこれを含む液晶表示装置を実施するための最良の形態の具体例を図面を参照しながら説明する。
【００１５】
本発明の利点及び特徴、そしてそれらを達成する方法は添付する図面と共に詳細に後述している実施形態を参照すれば明確になる。しかしながら、本発明は、以下で開示される実施形態に限定されるものではなく、相異なる多様な形態で具現されるものであり、本実施形態は、本発明の開示が完全となり、当業者に発明の範疇を完全に知らせるために提供されるものであり、本発明は、特許請求の範囲の記載に基づいて決められなければならない。なお、明細書全体にかけて同一参照符号は同一構成要素を示すものとする。
【００１６】
以下、図１〜図５を参照して本発明の一実施形態によるハイブリッド拡散板、これを含むバックライトアセンブリ及びこれを含む液晶表示装置について詳細に説明する。
【００１７】
図１は、本発明の一実施形態による液晶表示装置を示す分解斜視図である。図１を参照すれば、液晶表示装置１００は全体的に見て画像情報を表示する液晶パネルアセンブリ１３０、液晶パネルアセンブリ１３０に光を提供するバックライトアセンブリ１４０、及びバックライトアセンブリ１４０と結合して液晶パネルアセンブリ１３０を収納する上部収納容器１１０を含む。
【００１８】
液晶パネルアセンブリ１３０は、薄膜トランジスタ表示板１３３、共通電極表示板１３４を含む液晶パネル１３６、液晶（図示せず）、ゲートテープキャリヤパッケージ１３１、データテープキャリヤパッケージ１３２及び印刷回路基板１３５を含む。
【００１９】
液晶パネル１３６は、ゲートライン（図示せず）及びデータライン（図示せず）と薄膜トランジスタアレイ、画素電極などを含む薄膜トランジスタ表示板１３３と、ブラックマトリックス、共通電極などを含み、薄膜トランジスタ表示板１３３に対向するように配置された共通電極表示板１３４を含む。
【００２０】
そして、ゲートテープキャリヤパッケージ１３１は、薄膜トランジスタ表示板１３３に形成された各ゲートライン（図示せず）に接続され、データテープキャリヤパッケージ１３２は薄膜トランジスタ表示板１３３に形成された各データライン（図示せず）に接続される。
【００２１】
一方、印刷回路基板１３５ではゲートテープキャリヤパッケージ１３１にゲート駆動信号及びデータテープキャリヤパッケージ１３２にデータ駆動信号を入力可能なようにするゲート駆動信号及びデータ駆動信号を全て処理するための各種駆動部品が実装される。
【００２２】
そして、バックライトアセンブリ１４０は、光学シート１４１、ハイブリッド拡散板１４２、ランプ１４３、反射板１４４、及びこれらを収納する収納フレーム１５０及び下部収納容器１６０を含む。
【００２３】
ランプ１４３としては、ＣＣＦＬ（Ｃｏｌｄ  Ｃａｔｈｏｄｅ  Ｆｌｕｏｒｅｓｃｅｎｔ  Ｌａｍｐ）、ＥＥＦＬ（Ｅｘｔｅｒｎａｌ  Ｅｌｅｃｔｒｏｄｅ  Ｆｌｕｏｒｅｓｃｅｎｔ  Ｌａｍｐ）などを使用できる。このようなランプ１４３は、外部からランプ１４３に印加されたランプ駆動電圧によって光を発生する。また、ランプ１４３は等間隔に離隔されて同一平面上に並列連結され、直下型に構成できる。ランプ１４３内部の放電ガスの分布が一定するようにして均一な輝度を得るためランプ１４３は、液晶パネル１３６について横方向に配列されることが好ましい。ランプ１４３の端部にはランプ１４３にランプ駆動電圧を提供してランプ１４３を支持及び固定するランプソケット（図示せず）が形成できる。
【００２４】
ハイブリッド拡散板１４２は、ランプ１４３の上部に設けられることができ、ランプ１４３で発生した光の輝度均一性を向上させ、ランプ１４３で発生した熱が液晶パネル１３６に伝達されることを遮断する役割を果たす。以下、図２及び図３を参照して本発明の一実施形態によるハイブリッド拡散板について詳細に説明する。ここで、図２は図１のハイブリッド拡散板の分解斜視図であり、図３は図２のハイブリッド拡散板をＢ−Ｂ’線に沿って切開した断面図である。
【００２５】
図２及び図３に示すように、本発明の一実施形態によるハイブリッド拡散板１４２は互いに対向するように配置された第１のサブ拡散板２１０及び第２のサブ拡散板２１２と、両サブ拡散板（２１０、２１２）の間に介在した低屈折率の断熱層２３０を含む。
【００２６】
ここで、第１のサブ拡散板２１０及び第２のサブ拡散板２１２はそれぞれ拡散剤が添加された光透過性樹脂層で構成される。ここで拡散剤はシリコン拡散剤、マグネシウム拡散剤又は酸化カルシウム拡散剤などを含むことができる。また、光透過性樹脂層は、ポリメチルメタクリレート（ＰＭＭＡ）、メチルスチレン（ＭＳ）、ポリスチレン（ＰＳ）、ポリカーボネート（ＰＣ）などを含むことができる。第１のサブ拡散板２１０及び第２のサブ拡散板２１２を通過した光は輝度均一性が向上しうる。
【００２７】
そして、断熱層２３０は第１のサブ拡散板２１０及び第２のサブ拡散板２１２より低い熱伝導率と低い屈折率を有することが好ましい。例えば、断熱層２３０としては熱伝導率及び屈折率が一番低い空気を使用できる。空気の熱伝導率は約０．０２６ｋｃａｌ／（ｍ・ｈ・℃）であり、空気の屈折率は約１として、樹脂層からなったサブ拡散板（２１０、２１２）より非常に低い値を有する。本実施形態では、断熱層２３０として空気を使用して説明しているが、本発明はこれに限定されず第１のサブ拡散板２１０及び第２のサブ拡散板２１２より低い熱伝導率及び低い屈折率を有する任意の物質を使用できる。
【００２８】
第１のサブ拡散板２１０と第２のサブ拡散板２１２はその周縁に沿って両サブ拡散板（２１０、２１２）の間に介在するシーリング材２２０によって合着される。シーリング材２２０はサブ拡散板（２１０、２１２）と異なる物質又は同一な物質で構成できる。例えば、シーリング材２２０は両面テープ、粘着剤、又は接着剤などになることができる。また、シーリング材２２０としてサブ拡散板（２１０、２１２）と同一の物質である樹脂層を使用する場合、熱融着方式を用いてシーリング材２２０に熱を加えて一部溶かして第１のサブ拡散板２１０及び第２のサブ拡散板２１２を合着してもよい。
【００２９】
断熱層２３０は、第１のサブ拡散板２１０及び第２のサブ拡散板２１２と熱膨張率が異なるので、断熱層２３０が外部に露出できるようにシーリング材２２０は第１のサブ拡散板２１０及び第２のサブ拡散板２１２の間に開口部を残して置いて形成されることが好ましい。
【００３０】
再び図１を参照すれば、反射板１４４はランプ１４３の下部に設けられてランプ１４３の下部に放出される光を上部に反射する。このような反射板１４４は、下部収納容器１６０の底面に一体に形成されてもよい。すなわち、下部収納容器１６０をアルミニウム（Ａｌ）又はアルミニウム合金などの反射度が高い物質で構成して下部収納容器１６０自体が反射板１４４の機能を遂行できるように構成してもよい。
【００３１】
ランプ１４３は、反射板１４４上に配置されたランプ固定ユニット１４５によって固定できる。
【００３２】
そして、光学シート１４１はハイブリッド拡散板１４２上部に設けられ、ランプ１４３から伝達される光を拡散して集光する役割を果たす。光学シート１４１は例えば拡散シート、第１のプリズムシート、第２のプリズムシートなどを含む。
【００３３】
ここで、拡散シートはランプ１４３上部に設けられ、ランプ１４３から入射される光の輝度及び輝度均一性を向上させる役割を果たす。
【００３４】
第１のプリズムシートは、拡散シート上部に設けられ、第１のプリズムシートの一面には拡散シートから拡散した光を集光して出射するための三角柱形のプリズムパターン（図示せず）が一定した配列を有して形成されている。例えば、第１のプリズムシートとしては輝度強化フィルムを使用できる。
【００３５】
第２のプリズムシートは、第１のプリズムシート上部に設けられ、光を集光及び偏光して出射する多層構造の反射型偏光プリズムシートである。例えば、第２のプリズムシートとしてはデュアル輝度強化フィルムを使用できる。但し、第１のプリズムシートだけとしても輝度及び視野角を十分に確保できる場合第２のプリズムシートは除外できる。
【００３６】
このような光学シート１４１は、バックライトアセンブリ１４０の仕様によって多様に変更できる。
【００３７】
このような反射板１４４、ランプ１４３、ハイブリッド拡散板１４２、及び光学シート１４１は順次に下部収納容器１６０に収納され、収納フレーム１５０は下部収納容器１６０の上部から下って下部収納容器１６０と結合する。図１及び図４を参照して本発明の一実施形態による液晶表示装置の結合関係について詳細に説明する。ここで図４は図１の液晶表示装置を結合した後Ａ−Ａ’線に沿って切開した断面図である。
【００３８】
図１及び図４に示すように、液晶パネル１３６は収納フレーム１５０の支持を受け、光学シート１４１上に配置される。収納フレーム１５０は長方形形状の周縁に沿って形成された側壁で構成され、内側壁に段差部又は突起部が形成されて液晶パネルアセンブリ１３０を支持できる構造からなる。
【００３９】
下部収納容器１６０は、長方形形状を有し、上面の周縁に沿って側壁が形成されて側壁内に反射板１４４、ランプ１４３、ハイブリッド拡散板１４２、及び光学シート１４１を受容して固定させる。
【００４０】
また、ランプ固定ユニット１４５は、ランプ１４３を固定する役割以外にハイブリッド拡散板１４２及び光学シート１４１を支持して曲がることを防止する役割を果たす。このようなランプ固定ユニット１４５は反射板１４４上に配置されたプレート２５０と、プレート２５０上に形成されてランプ１４３を固定するグリップ部２５４と、プレート２５０上に形成されて反射板１４４を支持する支持部２５２で構成されている。プレート２５０の底面には固定フック（図示せず）が形成されて反射板１４４を貫通して下部収納容器１６０の底面に形成された開口部（図示せず）と結合することによってランプ固定ユニット１４５は下部収納容器１６０と固定結合できる。
【００４１】
そして、液晶パネルアセンブリ１３０の印刷回路基板１３５は下部収納容器１６０の外側壁に沿って折り曲げられて下部収納容器１６０の側壁又は背面に安着する。ここで、光学シート１４１、ハイブリッド拡散板１４２、ランプ１４３及び反射板１４４を下部収納容器１６０に受容する方法によって下部収納容器１６０の形状は多様に変形できる。
【００４２】
そして、収納フレーム１５０上に配置された液晶パネルアセンブリ１３０の上面を覆うように上部収納容器１１０が下部収納容器１６０と結合される。上部収納容器１１０の上面には液晶パネルアセンブリ１３０を外部に露出させるウィンドウが形成されている。
【００４３】
上部収納容器１１０は、フック結合（図示せず）又はねじ結合（図示せず）などを通じて下部収納容器１６０と締結できる。
【００４４】
以下、図４を参照してランプ１４３から発生した熱が液晶パネル１３６に伝達されず遮断される過程を詳細に説明する。
【００４５】
先ず、ランプ１４３から発生した熱はまず輻射によってハイブリッド拡散板１４２に伝達される。またランプ１４３から発生した熱は下部収納容器１６０とハイブリッド拡散板１４２によって形成された収納空間内の空気を暖め、空気の対流によってハイブリッド拡散板１４２に伝達される。このような熱はハイブリッド拡散板１４２を通じて伝導されて光学シート１４１に伝達される。光学シート１４１に伝達された熱は再び輻射と対流を経て液晶パネル１３６に伝達される。
【００４６】
本実施形態でのようにハイブリッド拡散板１４２を使用する場合、樹脂層からなった第１のサブ拡散板２１０及び第２のサブ拡散板２１２の間に第１のサブ拡散板２１０及び第２のサブ拡散板２１２より熱伝導率が低い断熱層２３０を配置させることによってハイブリッド拡散板１４２の全体熱伝導率を低めることができる。従って、ハイブリッド拡散板１４２を通じて伝導される熱を遮断して液晶パネル１３６の温度が上がることを防止できる。
【００４７】
さらにハイブリッド拡散板１４２を構成する断熱層２３０として空気層を使用する場合、ランプ１４３から伝達された熱は第２のサブ拡散板２１２を通じて伝導された後、再び空気層を通じて輻射及び対流によって第１のサブ拡散板２１０に伝達される。一般に輻射及び対流は、伝導と比較して熱伝達率が相当に低いのでハイブリッド拡散板１４２の熱伝達率をさらに低めることができる。
【００４８】
次に、図４及び図５を参照して本発明の一実施形態による液晶表示装置の輝度を高め、輝線を除去する過程について詳細に説明する。ここで、図５は本発明の一実施形態によるハイブリッド拡散板の断面図である。
【００４９】
図４及び図５を参照すれば、ランプ１４３から発生した光はハイブリッド拡散板１４２を貫通して液晶パネル１３６に伝達される。光は、空気層では殆ど吸収が起こらず樹脂層などでなったサブ拡散板（２１０、２１２）にて吸収が起こる。従って、ハイブリッド拡散板１４２の厚さが一定し、断熱層２３０として空気層を使用する場合、光が樹脂層を通過する距離が短くなる。従って、ランプ１４３から発生した光がハイブリッド拡散板１４２に吸収される量は相対的に少なくなり液晶表示装置の輝度を高めることができる。
【００５０】
また、光源として複数のランプ１４３を使用する液晶表示装置では、使用者がランプ１４３の形状を認識できないように輝線を除去する必要がある。
【００５１】
本発明の一実施形態によれば、光を拡散させる拡散剤をそれぞれ含んだ第１のサブ拡散板２１０及び第２のサブ拡散板２１２の間に第１のサブ拡散板２１０及び第２のサブ拡散板２１２より低い屈折率を有する断熱層２３０を配置することによってハイブリッド拡散板１４２はこのような輝線をさらに効果的に除去できる。
【００５２】
具体的には、図５を参照すれば、第１のサブ拡散板２１０及び第２のサブ拡散板２１２の屈折率をｎ１、断熱層２３０の屈折率をｎ２とし、第２のサブ拡散板２１２から断熱層２３０に入射する光（Ｘ）の入射角をα、第２のサブ拡散板２１２から断熱層２３０に屈折される光（Ｙ）の屈折角をβとする。
【００５３】
スネルの法則によれば、ｓｉｎα／ｓｉｎβ＝ｎ２／ｎ１である。ここで、ｎ２＜ｎ１であるので、ｓｉｎα＜ｓｉｎβであり、α＜βが成り立つ。すなわち、断熱層２３０が第２のサブ拡散板２１２より低い屈折率を有する場合、光（Ｘ）の入射角（α）より光（Ｙ）の屈折角（β）がさらに大きい。従って、ランプ１４３から発生した光は第２のサブ拡散板２１２を経由して断熱層２３０を通過するとき、その光はランプ１４３からさらに大きい角度を有し、横に放射するようになる。断熱層２３０から第１のサブ拡散板２１０に屈折された光（Ｚ）は、再び第１のサブ拡散板２１０で拡散して輝線を除去するようになる。
【００５４】
次に、図６〜図９を参照して拡散機能が強化されたハイブリッド拡散板の変形例について調べる。ここで、図６〜図９は図５のハイブリッド拡散板の変形例である。
【００５５】
図６に示すハイブリッド拡散板１４２ｂのように、拡散機能を強化するために断熱層２３０と隣接する第１のサブ拡散板２１０及び第２のサブ拡散板２１２に凸状の拡散パターン２１６が形成されている。凸状の拡散パターン２１６は丸形に形成できる。図６では、第１のサブ拡散板２１０及び第２のサブ拡散板２１２全てに凸状の拡散パターン２１６が形成されているが、本発明はこれに限定されず断熱層２３０と隣接する第１のサブ拡散板２１０及び第２のサブ拡散板２１２のうち何れか一つに凸状の拡散パターン２１６が形成できる。
【００５６】
図７に示すハイブリッド拡散板１４２ｃは、図６のハイブリッド拡散板１４２ｂの凸状の拡散パターン２１６の代わりに凹状の拡散パターン２１８が形成されている。凹状の拡散パターン２１８は丸形に形成できる。図７でも第１のサブ拡散板２１０及び第２のサブ拡散板２１２全てに凹状の拡散パターン２１８が形成されているが、本発明はこれに限定されず断熱層２３０と隣接する第１のサブ拡散ン板２１０及び第２のサブ拡散板２１２のうち何れか一つに凹状の拡散パターン２１８が形成できる。
【００５７】
また図示していないが、断熱層２３０と隣接する第１のサブ拡散板２１０及び第２のサブ拡散板２１２にそれぞれ凸状の拡散パターン２１６及び凹状の拡散パターン２１８又はそれぞれ凹状の拡散パターン２１８及び凸状の拡散パターン２１６が形成できる。
【００５８】
図８に示すハイブリッド拡散板１４２ｄの場合、拡散機能を強化するためにランプと隣接した第２のサブ拡散板２１２の一面に凸状の拡散パターン２１６’が形成されている。凸状の拡散パターン２１６’は丸形に形成できる。これとは違って、図９に示すハイブリッド拡散板１４２ｅの場合、拡散機能を強化するためにランプと隣接した第２のサブ拡散板２１２の一面に凹状の拡散パターン２１８’が形成されている。凹状の拡散パターン２１８’は丸形に形成できる。
【００５９】
以上拡散機能を強化するため図６〜図９を参照して多様な拡散パターン２１６、２１６’、２１８、２１８’が形成されたハイブリッド拡散板について説明した。以上の変形例では説明の便宜のためそれぞれ個別的に拡散パターン２１６、２１６’、２１８、２１８’について説明したが、このような拡散パターン２１６、２１６’、２１８、２１８’を一つ以上組み合わせてハイブリッド拡散板を構成してもよい。以下説明の便宜のため図５に示すハイブリッド拡散板を用いて本発明を説明する。
【００６０】
以下、図１０及び図１１を参照して本発明の他の実施形態によるハイブリッド拡散板を説明する。ここで、図１０は図２のハイブリッド拡散板の変形例であり、図１１は図１０のハイブリッド拡散板をＣ−Ｃ’線に沿って切開した断面図である。説明の便宜上、図１〜図５に示した各部材と同一機能を有する部材は同一符号を示し、従ってその説明は省略する。本実施形態のハイブリッド拡散板は、図１０及び図１１に示すように、上述実施形態のハイブリッド拡散板と以下のことを除いては基本的に同一の構造を有する。
【００６１】
すなわち、図１０及び図１１に示すように、本実施形態のハイブリッド拡散板３００は互いに対向するように配置された第１、第２、第３のサブ拡散板２１０、２１２、２１４と、各サブ拡散板（２１０、２１２、２１４）の間に介在する断熱層２３０を含む。つまり、第１のサブ拡散板２１０と第２のサブ拡散板２１２との間に断熱層２３０が介在し、第２のサブ拡散板２１２と第３のサブ拡散板２１４との間に断熱層２３０が介在する。図１１のハイブリッド拡散板３００は、図３のハイブリッド拡散板１４２と実質的に同一であるか、或いは優れた作用効果を有する。
【００６２】
以上の実施形態でハイブリッド拡散板が２枚又は３枚のサブ拡散板を有し、各サブ拡散板の間に断熱層が介在した構造を例に挙げて説明したが、本発明はこれに限定されず４枚以上のサブ拡散板及び各サブ拡散板の間に介在した断熱層からなったハイブリッド拡散板にも適用できる。
【００６３】
尚、本発明は、上述の実施形態に限られるものではない。本発明の技術的範囲から逸脱しない範囲内で多様に変更実施することが可能である。
【産業上の利用可能性】
【００６４】
本発明は、平板表示装置のうち一つであって、電極が形成されている２枚の基板とその間に挿入されている液晶層からなって、電極に電圧を印加して液晶層の液晶分子を再配列させることによって透過する光量を調節する液晶表示装置に適用できる。
【図面の簡単な説明】
【００６５】
【図１】本発明の一実施形態による液晶表示装置を示す分解斜視図である。
【図２】図１のハイブリッド拡散板の分解斜視図である。
【図３】図２のハイブリッド拡散板をＢ−Ｂ’線に沿って切開した断面図である。
【図４】図１の液晶表示装置を結合した後Ａ−Ａ’線に沿って切開した断面図である。
【図５】本発明の一実施形態によるハイブリッド拡散板の断面図である。
【図６】図５のハイブリッド拡散板の変形例である。
【図７】図５のハイブリッド拡散板の変形例である。
【図８】図５のハイブリッド拡散板の変形例である。
【図９】図５のハイブリッド拡散板の変形例である。
【図１０】図２のハイブリッド拡散板の変形例である。
【図１１】図１０のハイブリッド拡散板をＣ−Ｃ’線に沿って切開した断面図である。
【符号の説明】
【００６６】
１００      液晶表示装置
１１０      上部収納容器
１３０      液晶パネルアセンブリ
１３１      ゲートテープキャリヤパッケージ
１３２      データテープキャリヤパッケージ
１３３      薄膜トランジスタ表示板
１３４      共通電極表示板
１３５      印刷回路基板
１３６      液晶パネル
１４０      バックライトアセンブリ
１４１      光学シート
１４２、３００    ハイブリッド拡散板
１４３      ランプ
１４４      反射板
１４５      ランプ固定ユニット
１５０      収納フレーム
１６０      下部収納容器
２１０      第１のサブ拡散板
２１２      第２のサブ拡散板
２１４      第３のサブ拡散板
２２０      シーリング材
２３０      断熱層
２５０      プレート
２５２      支持部
２５４      グリップ部
【図１】
2008040461.tif 000003
【図２】
2008040461.tif 000004
【図３】
2008040461.tif 000005
【図４】
2008040461.tif 000006
【図５】
2008040461.tif 000007
【図６】
2008040461.tif 000008
【図７】
2008040461.tif 000009
【図８】
2008040461.tif 000010
【図９】
2008040461.tif 000011
【図１０】
2008040461.tif 000012
【図１１】
2008040461.tif 000013